(57)【要約】【課題】ズームやピント合わせが効率よく行われるべく、レンズに適用する電磁駆動式調整装置を提供する。【解決手段】レンズ内に適用される本体、及び一つ以上の永久磁石、第一延伸部を具有しコイルが巻かれた第一導磁体、第二延伸部を具有しコイルが巻かれた第二導磁体より構成し、該永久磁石を該本体に連結し、各延伸部を永久磁石の適切な各極性に対応させて設置し、該電磁駆動式調整装置には更に導磁材料による位置調整部を設け、該永久磁石が選択性を以って該位置調整部にて停留及び定位されるようにする。【選択図】  図４
2006309109.tif 000002
【特許請求の範囲】
【請求項１】
本体と、第一導磁体と、第二導磁体とより構成される電磁駆動式調整装置において、
両端がそれぞれ相対する第一極性と第二極性を形成している一つ以上の永久磁石が連結される前記本体と、
若干のコイルが巻きつけられ、前記第一極性に相対する一つ以上の第一延伸部を具有する前記第一導磁体と、
若干のコイルが巻きつけられ、該第二極性に相対する一つ以上の第二延伸部を具有する前記第二導磁体とを具有することを特徴とするレンズに適用する電磁駆動式調整装置。  
【請求項２】
前記本体は、レンズ部であることを特徴とする請求項１記載のレンズに適用する電磁駆動式調整装置。
【請求項３】
前記本体に、中空を呈したカバーを設け、該カバー上は該永久磁石の位置に対応した個所に斜め向きの軌道を設置し、該永久磁石が軌道の制限と導引を受け、該軌道の延伸する方向に沿って斜め向きで線形の運動をし、
前記第一、第二導磁体が前記カバー外囲を取り巻くように設置され、且つ、前記第一延伸部と第二延伸部を前記軌道両端に位置させることで、該永久磁石の両極性に対応させ、
前記コイルに対し、ある値の電流を流すと、前記第一及び第二導磁体は永久磁石の両極性付近にまで集中して磁力線を生じ、前記永久磁石が前記軌道に沿って斜め向きの運動をし、該本体を連動して該カバー中でネジの螺旋のような回転運動による移動をすることを特徴とする請求項１記載のレンズに適用する電磁駆動式調整装置。
【請求項４】
前記レンズに適用する電磁駆動式調整装置には、更に少なくとも一つの導磁材料により製造された位置調整部を設け、前記永久磁石はちょうど該位置調整部と前記本体との間に位置することを特徴とする請求項１記載のレンズに適用する電磁駆動式調整装置。
【請求項５】
本体と、第一導磁体と、第二導磁体と、一つ以上の位置調整部とより構成される電磁駆動式調整装置において、
両端が相互に反する第一極性と第二極性となっている一つ以上の永久磁石を具有する前記本体と、
磁力を生じ、前記第一極性に対応する前記第一導磁体と、
磁力を生じ、前記第二極性に対応する前記第二導磁体と、
導磁材料により構成され、且つ、該第一導磁体と該第二導磁体の間に位置し、且つ、前記本体との間に位置する個所には該永久磁石が設けられる前記位置調整部が設けられ、前記第一及び第二導磁体の内、少なくとも一方の導磁体を駆動させてある値の磁力を生じさせ、前記永久磁石を動かし、該永久磁石が前記本体を伴って選択された位置から、該第一導磁体、第二導磁体、或いは位置調整部の内のいずれかに接近することを特徴とするレンズに適用する電磁駆動式調整装置。
【請求項６】
前記第一導磁体には更に若干のコイルを巻きつけ、該第一導磁体には前記第一極性と相対する少なくとも一つ以上の第一延伸部を具有し、
並びに前記第二導磁体にも若干のコイルを巻きつけ、該第二導磁体には前記第二極性と相対する少なくとも一つ以上の第二延伸部を具有する
ことを特徴とする請求項５記載のレンズに適用する電磁駆動式調整装置。
【請求項７】
主に本体と導磁部を含む電磁駆動式調整装置において、
該本体には、本体に連結される永久磁石部を一つ以上を具有し、該永久磁石部には第一永久磁石とこれに相対した第二永久磁石を具有し、該第一永久磁石と該第二永久磁石とは、これらの永久磁石部の両端が同じ極性が相対するように第一極性と第二極性として設置され、
また、少なくとも、一つ以上設けられる導磁部においては、該導磁部には若干のコイルが巻きつけられ、該導磁部両端にはそれぞれ前記第一極性に対応する第一延伸部と、前記第二極性に対応する第二延伸部を具有することを特徴とするレンズに適用する電磁駆動式調整装置。
【発明の詳細な説明】
【技術分野】
【０００１】
本発明はレンズに適用する電磁駆動式調整装置に係り、特に電磁コイルにより生ずる磁力を利用し、レンズの本体上に位置する永久磁石を移動させ、レンズの本体位置を切り替えさせる調整装置に関わる。
【背景技術】
【０００２】
近時、科学技術の発展に伴い、デジタルカメラ等をはじめとする電子製品に対する消費者のニーズが高まっている。またこれら電子製品は携帯に便利なよう軽くて小さいものにするべく、開発研究が繰り返されている。
ここでは、カメラのレンズ部分に言及するが、カメラにおいてレンズとはカメラの品質を大きく左右する重要なパーツであるが、我々はレンズの絞りの大きさやシャッターの速度以外にも、画像のシャープ度、ズームの倍率の変更やピント合わせなどのため、レンズの位置を切り替えて使用している。
【０００３】
図１に示すように、公知における機械作動式のレンズ位置切り替え装置１では、レンズ１１と第一連結部１２、第二連結部１３、ボルト１４、ガイドボルト１５、モータ１６から構成され、該第一連結部１２と該第二連結部１３はそれぞれ該レンズ１１の上下両側に連結される。また、該第一連結部１２は該ボルト１４に連結され、該第二連結部１３は該ガイドボルト１５に連結される。こうしてレンズ位置を切り替えようとする際、該モータ１６が該ボルト１４を連動し、正方向或いは逆方向に回転運動し、該レンズ１１が該ボルト１４と該ガイドボルト１５間にて相対して線形の移動９２を行い、該レンズ１１の位置を調整する。しかし機械作動式では、体積が大きく電力の消耗も激しい。また精密機械を用いることでコストも高くなっている。よって、カメラにおいてこういった機械式のものは現在では僅かであり、デジタルカメラにおいては既に淘汰されてしまっている。
【０００４】
よって、現在のデジタルカメラでは、そのほとんどに電磁駆動式のレンズ位置切替え装置が用いられている。図２，３に示すように、公知における電磁駆動式のレンズ切り替え装置２では、レンズ２１、環状の永久磁石２２、第一コイル部２３、第二コイル部２４が設けられる。該永久磁石２２は該レンズ２１上に連結され、且つその両側には第一極性２５と第二極性２６を具有する。該第一コイル部２３と該第二コイル部２４はそれぞれ該レンズ２１の本体外囲両側を取り巻き、且つ該第一極性２５と第二極性２６と相対した状態となっている。レンズの位置を切り替えようとする際、該第一コイル部２３と該第二コイル部２４に電流を流し、両該コイル２３，２４が特定の方向（即ちレンズ２１の軸心方向）に磁力線が生じるようにし、こうして該環状の永久磁石２２が該レンズ２１軸心に沿って左側に移動、或いは右側に移動する力を提供し、こうすることで該レンズ２１がある方向へと押されて移動し、レンズの位置の切り替えが達成される。
【特許文献１】特開２００２−１６９０７３号公報
【発明の開示】
【発明が解決しようとする課題】
【０００５】
上述のような公知の方法による電磁駆動式レンズ位置切替え装置２では、該コイル２３，２４は該レンズ２１の外囲を取り巻いており、よって磁力線が該レンズ２１の軸心中心位置に集中し、相対して該永久磁石２２がある位置のコイル２３，２４で生じる磁力線は反対に密集していないことになる。よって、該コイル２３，２４に生じる磁力線が永久磁石２２にはほとんど作用せず、機能が劣り、電力の消耗が比較的高いことが言える。このため、該環状の永久磁石２２は、密集しにくい磁力線でも力が提供できるよう、ある程度の大きさを必要とするが、こうすることで体積が大きくなり、軽量化と小型化が難しくなってしまう。また、該レンズ２１の両側を取り巻くコイルのため、二段階のみの切り替えしかできず、使用における便利性に改善の余地があると言える。
本発明の課題は、これらの欠点に鑑み、小型化と軽量化を実現すると同時に、ズームやピント合わせが効率よく行われるべく、本発明のレンズに適用する電磁駆動式調整装置を提供する。
【課題を解決するための手段】
【０００６】
上記課題を解決するために、請求項１の発明は、本体と、第一導磁体と、第二導磁体とより構成される電磁駆動式調整装置において、両端がそれぞれ相対する第一極性と第二極性を形成している一つ以上の永久磁石が連結される前記本体と、若干のコイルが巻きつけられ、前記第一極性に相対する一つ以上の第一延伸部を具有する前記第一導磁体と、若干のコイルが巻きつけられ、該第二極性に相対する一つ以上の第二延伸部を具有する前記第二導磁体とを具有することを特徴とするレンズに適用する電磁駆動式調整装置である。  
請求項２の発明は、前記本体は、レンズ部であることを特徴とする請求項１記載のレンズに適用する電磁駆動式調整装置である。
請求項３の発明は、前記本体に、中空を呈したカバーを設け、該カバー上は該永久磁石の位置に対応した個所に斜め向きの軌道を設置し、該永久磁石が軌道の制限と導引を受け、該軌道の延伸する方向に沿って斜め向きで線形の運動をし、前記第一、第二導磁体が前記カバー外囲を取り巻くように設置され、且つ、前記第一延伸部と第二延伸部を前記軌道両端に位置させることで、該永久磁石の両極性に対応させ、前記コイルに対し、ある値の電流を流すと、前記第一及び第二導磁体は永久磁石の両極性付近にまで集中して磁力線を生じ、前記永久磁石が前記軌道に沿って斜め向きの運動をし、該本体を連動して該カバー中でネジの螺旋のような回転運動による移動をすることを特徴とする請求項１記載のレンズに適用する電磁駆動式調整装置である。
請求項４の発明は、前記レンズに適用する電磁駆動式調整装置には、更に少なくとも一つの導磁材料により製造された位置調整部を設け、前記永久磁石はちょうど該位置調整部と前記本体との間に位置することを特徴とする請求項１記載のレンズに適用する電磁駆動式調整装置である。
【０００７】
請求項５の発明は、本体と、第一導磁体と、第二導磁体と、一つ以上の位置調整部とより構成される電磁駆動式調整装置において、両端が相互に反する第一極性と第二極性となっている一つ以上の永久磁石を具有する前記本体と、磁力を生じ、前記第一極性に対応する前記第一導磁体と、磁力を生じ、前記第二極性に対応する前記第二導磁体と、導磁材料により構成され、且つ、該第一導磁体と該第二導磁体の間に位置し、且つ、前記本体との間に位置する個所には該永久磁石が設けられる前記位置調整部が設けられ、前記第一及び第二導磁体の内、少なくとも一方の導磁体を駆動させてある値の磁力を生じさせ、前記永久磁石を動かし、該永久磁石が前記本体を伴って選択された位置から、該第一導磁体、第二導磁体、或いは位置調整部の内のいずれかに接近することを特徴とするレンズに適用する電磁駆動式調整装置である。
請求項６の発明は、前記第一導磁体には更に若干のコイルを巻きつけ、該第一導磁体には前記第一極性と相対する少なくとも一つ以上の第一延伸部を具有し、並びに前記第二導磁体にも若干のコイルを巻きつけ、該第二導磁体には前記第二極性と相対する少なくとも一つ以上の第二延伸部を具有することを特徴とする請求項５記載のレンズに適用する電磁駆動式調整装置である。
【０００８】
請求項７の発明は、主に本体と導磁部を含む電磁駆動式調整装置において、該本体には、本体に連結される永久磁石部を一つ以上を具有し、該永久磁石部には第一永久磁石とこれに相対した第二永久磁石を具有し、該第一永久磁石と該第二永久磁石とは、これらの永久磁石部の両端が同じ極性が相対するように第一極性と第二極性として設置され、また、少なくとも、一つ以上設けられる導磁部においては、該導磁部には若干のコイルが巻きつけられ、該導磁部両端にはそれぞれ前記第一極性に対応する第一延伸部と、前記第二極性に対応する第二延伸部を具有することを特徴とするレンズに適用する電磁駆動式調整装置である。
【０００９】
すなわち、上記各発明は、レンズ内に適用される本体、及び一つ以上の永久磁石、第一導磁体、第二導磁体より構成し、両端がそれぞれ相対する第一極性と第二極性とに分かれる該永久磁石を該本体に連結するが、該第一導磁体には若干のコイルが巻きつけられ且つ第一延伸部を具有するものとし、該第一延伸部は該第一極性に対応させて設置し、該第二導磁体においては、同様に若干のコイルが巻きつけられ、また少なくとも一つ以上の第二延伸部が設けられ、該第二延伸部を該第二極性に対応させて設置し、またレンズ位置切り替え機能が多数の段階に分けられて行われるよう、該電磁駆動式調整装置には更に少なくとも一つ以上の位置調整部を設け、該位置調整部においてはヨークなどの導磁材料より構成し、該永久磁石が選択性を以って該位置調整部にて停留及び定位されるようにするものである。
【発明の効果】
【００１０】
本発明によると、カメラ等のレンズに適用する電磁駆動式調整装置において、磁力が効率良く作用し、レンズのピントを合わせる機能が効率よく行われるようになり、電気の消耗が少ないこと、またレンズ部の体積が小さく、重量も軽くなったこと、更には、ピント合わせやズームが数段階に分けられ、カメラの使用が更に便利になる。
【発明を実施するための最良の形態】
【００１１】
本発明の好適な実施例を図面を参照しつつ説明する。
図４から図６に示すように、本発明の第一実施例は、レンズに適用する電磁駆動式調整装置３であり、これにはレンズ内に適用する本体３１、及び少なくとも一つの永久磁石３２、並びに第一導磁体３３と第二導磁体３４とから構成される。
本発明の第一実施例では、レンズに適用する電磁駆動式調整装置３は、デジタルカメラ、或いはデジタルカメラモジュールを含む携帯電話等のカメラ機器に応用されるものである。そのため、本体３１はカメラのレンズ内部の可動なレンズ群としてもよく、また、該可動なレンズ群の本体により構成される本体３１の左側（被写体に近い側）には固定されて動かない前レンズ群５１を設けてもよく、本体３１の右側（後ろ側）には、ＣＣＤ（チャージ・カップルド・デバイス）やＣＭＯＳ（相補性金属酸化膜半導体）イメージセンサ等の、イメージセンサ５２を設けてもよい。
レンズの絞り（図中無し）は、各カメラに通常備えられているものとし、レンズ群５１や本体３１、或いはイメージセンサ５２も通常備えられているものとする。
以下、デジタルカメラのピント調整、或いは、ズーム機能について、本発明を適用した実施例を説明する。本発明の実施例では、カメラのレンズで実施しているが、その他の精密機器における移動ストロークの調整や、多段階に分けられて行われる移動においても応用されるものである。
【００１２】
本発明の第一実施例では、図４に示すように、永久磁石３２は円柱状を呈しており、且つ、本体３１外囲の適当な位置に設置され、且つ、永久磁石３２の両端は、それぞれ極性が相反する第一極性３２１と第二極性３２２となっている。力のバランスが保たれた状態となるべく、永久磁石３２は二つ設け(図４で上下位置)、それぞれ該本体３１外側の相対する個所に別々に設置する。
この永久磁石３２の数量は、一つかそれ以上、また、設置位置や形状においても、上述に限られるものではない。図５、６に示すように、本発明の第一実施例では、該永久磁石３２の両端の前記第一極性３２１（永久磁石３２の左端に位置する極性）はＮ極とし、且つ、前記第二極性３２２（永久磁石３２の右端に位置する極性）はＳ極とする。このとき、もう一つの永久磁石３２ａ両端の該第一極性３２１ａ（永久磁石３２ａ左端に位置する極性）をＳ極とし、且つ該第二極性３２２ａ（永久磁石３２ａ右端に位置する極性）をＮ極とすることが望ましい。
【００１３】
前記第一導磁体３３及び前記第二導磁体３４はそれぞれ本体３１の軸心方向上の前後側付近に設けられ、且つ、第一導磁体３３と第二導磁体３４は導磁材質（ヨークなど）によるものとする。また、第一導磁体３３はその中央部位に若干の電磁コイル３３１が巻かれ、更に力のバランスをとるために、該第一導磁体３３の両端にはそれぞれ第一延伸部３３２、３３２ａが設けられる。
第一延伸部３３２、３３２ａは、第一極性３２１、３２１ａに接近及び対応した個所にまで延伸する。前記第二導磁体３４の中央部位にも若干の電磁コイル３４１が巻かれ、第二導磁体３４の両端にもそれぞれ第二延伸部３４２、３４２ａが設けられる。第二延伸部３４２、３４２ａは該第二極性３２２，３２２ａに接近及び対応した個所にまで延伸する。
【００１４】
図５に示すように、ある値の電圧で直流電流（ＤＣ）を流し、前記第一導磁体３３のコイル３３１を駆動させようとする際、第一延伸部３３２、３３２ａはそれぞれＮ極とＳ極となる。このとき、第一延伸部３３２、３３２ａの磁力線は該永久磁石３２、３２ａの第一極性３２１、３２１ａに対応して集中し、同極が退け合う磁石の原理が働き、本体３１が永久磁石３２、３２ａと共に軸心方向に沿って第二導磁体３４の位置を偏移させる。
同時に前記第二導磁体３４のコイル３４１を駆動させようとする際、第二延伸部３４２，３４２ａはそれぞれＮ極とＳ極になる。こうして該永久磁石３２、３２ａの第二極性３２２，３２２ａの異なる極性により引き合い、本体３１が第二導磁体３４の位置にて密着して固定されるようになる。
【００１５】
図６に示すように、逆に、本実施例は、前記第一導磁体３３のコイル３３１(図５参照)を駆動させることもでき、前記第一延伸部３３２、３３２ａはそれぞれＳ極とＮ極となる。同時に前記第二導磁体３４のコイル３４１を駆動させる場合、前記第二延伸部３４２、３４２ａはそれぞれＳ極とＮ極となる。
こうして、本体３１が第一導磁体３３の位置に密着して固定され、本体３１は第二延伸部３４２、３４２ａ間にてある一定の線形の移動９３を行ない、該レンズのピント調整あるいはズームの目的を達成する。
【００１６】
本発明の第二実施例では、図７,８に示すように、三段階で位置調整を行えるようにしたものである。ヨークを該永久磁石３２の移動範囲内のある位置に設置し、位置調整部３５を形成する。こうして、永久磁石３２がレンズ本体３１と共に位置を調整するストロークにおいて、ヨークが構成する位置調整部３５の位置個所を選択してストップできるようにし、こうして三段階、或いは更に多くの段階でレンズの位置を切り替える機能を提供する。
【００１７】
引き続き図７,８に示すように、電磁駆動調整装置３ａには、図４に示すような各パーツ以外にも、ある形状を呈したヨークにより構成される一つ以上の位置調整部３５から構成される。また、永久磁石３２はちょうど前記位置調整部３５と本体３１との間に位置し、位置調整部３５は第一延伸部３３２と第二延伸部３４２の中間に位置する。
力の優れたバランスを保つべく、位置調整部３５の数量と位置は、該永久磁石３２、３２ａの位置に対応するものとし、位置調整部３５の両端にはそれぞれ突起部３５１が設けられ、永久磁石３２の両端の第一極性３２１と第二極性３２２に接近している。両コイル３３１、３４１を駆動し、第一導磁体３３と第二導磁体３４とが同時に永久磁石３２に対して退け合う力を発生し、該永久磁石３２を該本体３１と共に中間の位置調整部３５に対応した位置にまで押しやる。
前記本体３１が該位置調整部３５に定位された後、前記両コイル３３１，３４１の電流供給をストップする。
永久磁石３２はそれ自身の磁力によって該位置調整部３５を引っ張り、自動で該位置調整部３５の位置に定位される、更に電力の消耗を省くといったメリットも提供する。レンズに適用する電磁駆動式調整装置３ａは、選択することにより該本体３１を該第一導磁体３３、第二導磁体３４、及び該位置調整部３５にて定位（三段階の定位）ができるようになる。
【００１８】
本発明の第三実施例では、図９に示すように、電磁駆動式調整装置３ｂがヨーク上で二つの位置調整部３５ｂ、３５ｃを構成するようにする。永久磁石３２はちょうど該二つの位置調整部３５ｂ、３５ｃと本体３１との間に位置し、且つもう一つの永久磁石も、もう一つのヨークにより構成される二つの位置調整部３５ｄ、３５ｅと本体３１との間に位置する。そのほか、二つの前記位置調整部３５ｂ、３５ｃは第一延伸部３３２と第二延伸部３４２の間に位置し、同様にして、もう一方の二つの調整部３５ｄ、３５ｅも、もう一つの第一延伸部３３２ａともう一つの第二延伸部３４２ａの間に位置する。
また、本第三実施例では、位置調整部３５ｂ、３５ｃは図７に示すような突起した構造ではなく、立方体のような構造を呈したものとする。これにより、前記本体３１は定位が第一導磁体３３や第二導磁体３４の両端位置に接近する他、位置調整部３５ｂや位置調整部３５ｃの位置を選択して停留並びに定位することができ、四段階の位置調整の目的を達成するが、図９と同様の原理で更に多くのポイントで定位ができるようにすることも可能である。
【００１９】
本発明の第四実施例では、図１０に示すように、本体４１には少なくとも一つの永久磁石部４２と、同様に少なくとも一つ以上の導磁部４３を設ける。
前記永久磁石部４２は本体４１に連結され、且つ、第一永久磁石４２１、並びにこれに対応する第二永久磁石４２２を具有する。該第一永久磁石４２１と該第二永久磁石４２２は、その第二極性４２５、４２４（Ｓ極）が隣り合った形で設置され、こうして該永久磁石部４２の両末端にはそれぞれ等しい第一極性４２３，４２６（Ｎ極）を具有することになる。導磁部４３は導磁材質で構成され、中央部位には若干のコイル４３１が巻かれる。導磁部４３の両端はそれぞれ第一延伸部４３２と第二延伸部４３３となっている。第一延伸部４３２と永久磁石４２１の第一極性４２３は、対応しており、且つ、前記第二延伸部４３３と前記第二永久磁石４２２のもう一つの第一極性４２６は相対する。
【００２０】
よって、導磁部４３のコイル４３１が駆動する際、第一延伸部４３２及び第二延伸部４３３はそれぞれＮ極とＳ極を形成する。このとき、第一延伸部４３２と第一永久磁石４２１の第一極性４２３は同極となり、相互に退けあい、且つ、第二延伸部４３３と第二永久磁石４２２の該第一極性４２６は極性が異なって引き合う。
よって、本体４１は隣接する第二延伸部４３３の位置に向かい、密着して固定される。逆に、前記導磁部４３のコイル４３１が駆動し、第一延伸部４３２と第二延伸部４３３がそれぞれＳ極とＮ極を形成する際、該第一延伸部４３２と該第一永久磁石４２１の該第一極性４２３は相互に引き合い、且つ該第二延伸部４３３と該第二永久磁石４２２の該第一極性４２６は、同極なので退けあう。
したがって、本体４１は近隣する該第一延伸部４３２の位置に向かい、密着して固定される。上述により、本実施例では導磁部４３が該本体４１における縦向きに延伸した側の両側に設置され、図４に示す本体３１のような軸向延伸方向上の両側とは異なるものとなっている。
【００２１】
図１０に示すような電磁駆動式調整装置４は、二段階のズーム機能しか提供していない。よって、本発明では三段階或いはそれ以上のピント調整やズームの機能を達成するため、本発明の第五実施例では図１１に示すようなレンズに適用する電磁駆動式調整装置４ａには、少なくとも一つの位置調整部４４を含む。ピント調整とズームの段階を更に増加させるため、該位置調整部４４は二つかそれ以上設ける。
前記位置調整部４４の材質、構造、設置位置、作動方法、機能等は、上述で説明しているので、ここでは敢えて記述しない。
【００２２】
第六実施例では、図１２,１３に示すように、主に移動するストロークが短い（レンズ移動距離は0.5ミリより小さいものもある）レンズのズームの動きに対して、ネジが螺旋状に回転するのに類似した運動を利用し、公差の影響を抑え、精確さを高める。図１２，１３に示すように、本発明の実施例の電磁駆動式調整装置６は、同様に本体６１、永久磁石６２１，６２２、及び第一、第二導磁体６３，６４から構成される。
永久磁石６２１，６２２は該本体６１に連結され、伴って運動するものとするが、該永久磁石６２１，６２２の極性は同方向に設置、即ち、Ｓ極は全て図１３での左側方向に向かって設置する。前記第一、第二導磁体６３，６４の中央部位には同様に若干のコイル６３１，６４１が巻かれ、且つ該第一、第二導磁体６３，６４も同様に第一延伸部６３２，６３３及び第二延伸部６４２，６４３を具有する。該第一延伸部６３２、６３３と該第二延伸部６４２，６４３の位置は同様にしてそれぞれ永久磁石６２１，６２２の両極性位置に対応且つ隣接させる。
引き続き、図１２，１３に示すように、本発明の第六実施例では、該本体６１には中空を呈したカバー６１１が被覆され、該本体６１は該カバー６１１にて回転及び軸向きの線形の運動を行う。該カバー６１１上には該永久磁石６２１，６２２の位置に対応した個所に、それぞれ向きが斜めを呈した軌道６２１，６１３が設けられ、該永久磁石６２１，６２２が該軌道６１２，６１３の制限と導引により、該軌道６１２，６１３の延伸方向に沿って斜め向きの線形の運動をする(図１２中の矢印)。該第一、第二導磁体６３，６４は、該カバー６１１外囲を覆っており、且つ該第一延伸部６３２，６３３と該第二延伸部６４３，６４２が皆、一方が高く一方が低い配置を呈する。コイル６３１，６４１に対し、ある方向に電流を流すと、該第一、第二導磁体６３，６４は磁力線が該永久磁石６２１，６２２の両極付近にまで集中し、該永久磁石６２１、６２２が該軌道６１２，６１３に沿って、斜め向きに運動する。
こうすることで、本体６１を伴って、カバー６１１中にてねじの螺旋のように移動をし、ストロークが伸びて、公差の影響を受けにくくなる、即ち精確さを高められるようになる。また、該第一、第二導磁体６３，６４はカバー６１１外囲を覆うように設置されており、該本体６１の前後端にまで延伸させる必要がないため、該第一、第二導磁体６３，６４を設置する位置の選択は、更に幅が広くなる。
【００２３】
本発明の第七実施例では、図１４に示すように、電磁駆動式調整装置６ａの構造は図１２，１３で示した第六実施例のそれとほぼ等しいため、詳細は記載しない。唯一異なる点は、該電磁駆動式調整装置６ａのカバー６１１ａ上の適当な位置に、少なくとも一つの調整部６５を設け、調整部６５が図１４の矢印方向に移動し、三段階、或いはそれ以上の段階で、ピント調整とズームが実行できるようにしていることである。
【図面の簡単な説明】
【００２４】
【図１】従来公知における機械作動式のレンズ位置切り替え装置の側面による構造説明図である。
【図２】従来公知における電磁駆動式レンズ位置切り替え装置における側面による構造説明図である。
【図３】従来公知における電磁駆動式のレンズ位置切り替え装置の立体構造説明図である。
【図４】本発明における第一実施例の立体構造図である。
【図５】本発明における第一実施例の側面による構造説明図である。
【図６】本発明における第一実施例の第二位置側面による構造説明図である。
【図７】本発明における第二実施例の立体構造図である。
【図８】本発明における第二実施例の側面による構造説明図である。
【図９】本発明における第三実施例の側面による構造説明図である。
【図１０】本発明における第四実施例の側面による構造説明図である。
【図１１】本発明における第五実施例の側面による構造説明図である・
【図１２】本発明における第六実施例の構造説明図である。
【図１３】本発明における第六実施例の俯瞰構造説明図である。
【図１４】本発明における第七実施例の立体構造説明図である。
【符号の説明】
【００２５】
１  レンズ位置切り替え装置
１１  レンズ
１２  第一連結部
１３  第二連結部
１４  ボルト
１５  ガイドボルト
１６  モータ
２  電磁駆動式のレンズ位置切り替え装置
２１  レンズ
２２  環状の永久磁石
２３  第一コイル部
２４  第二コイル部
２５  第一極性
２６  第二極性
３，３a，３b  レンズに適用する電磁駆動式の調整装置
３１  本体
３２，３２a  永久磁石
３２１，３２１a  第一極性
３２２，３２２a  第二極性
３３  第一導磁体
３３１  コイル
３３２，３３２a  第一延伸部
３４  第二導磁体
３４１  コイル
３４２，３４２a  第二延伸部
３５，３５b，３５c，３５d，３５e  位置調整部
３５１  突起部
４，４a  レンズに適用する電磁駆動式調整装置
４１  本体
４２  永久磁石部
４２１第一永久磁石
４２２  第二永久磁石
４２３，４２６  第一極性
４２５，４２４  第二極性
４３  導磁部  
４３１  コイル
４３２  第一延伸部
４３３  第二延伸部
４４  位置調整部
５１  前レンズ群
５２  イメージセンサ
６，６a  レンズに適用する電磁駆動式調整装置
６１  本体
６１１，６１１a  カバー
６１２，６１３  軌道
６２１  第一永久磁石
６２２  第二永久磁石
６３  第一導磁体  
６４  第二導磁体
６３１，６４１  コイル
６３２，６４２  第一延伸部
６３３，６４３  第二延伸部  
６５  位置調整部
９２，９３  線形の移動
【図１】
2006309109.tif 000003
【図２】
2006309109.tif 000004
【図３】
2006309109.tif 000005
【図４】
2006309109.tif 000006
【図５】
2006309109.tif 000007
【図６】
2006309109.tif 000008
【図７】
2006309109.tif 000009
【図８】
2006309109.tif 000010
【図９】
2006309109.tif 000011
【図１０】
2006309109.tif 000012
【図１１】
2006309109.tif 000013
【図１２】
2006309109.tif 000014
【図１３】
2006309109.tif 000015
【図１４】
2006309109.tif 000016